(57)【要約】【課題】上部が下部に対して張り出しているＩＣモジュールの装着を可能とし、端子部材の内側片部の長さを充分に確保して薄型化が図れるソケット装置を提供する。【解決手段】電気部品４が装着される凹状の収納部１ａを有するハウジング１と、収納部１ａの周縁部に並設され、電気部品４の外側面に並設された複数の外部接触片４ｃと接続される複数の端子部材２とを備え、外部接触片４ｃは、電気部品４の下部側面と底面とが連接する角部に設けられており、端子部材２は、ハウジング１に保持され収納部１ａの内壁部に沿って延びる平板状の基部２ｅと、基部２ｅの一端側に基部２ｅと平行に折り曲げられて形成された接点板２ａと、接点板２ａの先端側で収納部１ａの内方へ屈曲された屈曲片２ｃとを有し、屈曲片２ｃを電気部品４に設けられた外部接触片４ｃと接触可能とした。【選択図】        図５
2005032568.tif 000002
【特許請求の範囲】
【請求項１】
電気部品が装着される凹状の収納部を有するハウジングと、前記収納部の周縁部に並設され、前記電気部品の外側面に並設された複数の外部接触片と接続される複数の端子部材とを備え、前記外部接触片は、少なくとも前記電気部品の側面と底面とが連接する角部に設けられており、前記端子部材は、前記ハウジングに保持され前記収納部の内壁部に沿って延びる平板状の基部と、この基部の一端側に前記基部と平行に折り曲げられて形成された接点板と、この接点板の先端側で前記収納部の内方へ屈曲された屈曲片とを有し、この屈曲片を前記電気部品の角部に設けられた外部接触片と接触可能としたことを特徴とするソケット装置。
【請求項２】
前記ハウジングには、前記電気部品を前記収納部に保持して抜け止めする抜け止め部材を備え、前記電気部品は、前記端子部材の屈曲片と前記抜け止め部材とによって挟持されることを特徴とする請求項１記載のソケット装置。
【請求項３】
前記屈曲片には、前記収納部の内方へ延出する傾斜面が形成されており、前記電気部品は、前記屈曲片の傾斜面により前記抜け止め部材側へ付勢されていることを特徴とする請求項２記載のソケット装置。
【請求項４】
前記抜け止め部材は、前記ハウジングの外側面に沿って配設された薄板状の基板部と、この基板部に弾性変形可能に設けられた弾性アーム部とからなり、前記弾性アーム部を、前記基板部の横方向に長尺状に延設すると共に、前記弾性アーム部の先端側に前記電気部品の上方に係合して抜け止めする係合部を形成したことを特徴とする請求項２、又は３記載のソケット装置。
【発明の詳細な説明】
【０００１】
【発明の属する技術分野】
本発明は、ＩＣチップ、ＩＣモジュール等との接続や保持に使用されるソケット装置の構造に関する。
【０００２】
【従来の技術】
従来のＩＣチップ等を保持するソケット装置としては、ハウジングに形成した凹部状の収納部に、上端をＵ字状に折り返し、その先端側の内側片部が、収納部内へ突出した導電性の金属板からなる複数の端子部材を並設して、この端子部材の内側片部の弾性変形を利用して、収納部内に装着される電気部品の複数の外部接触片と接続するようにした構成のものが知られている。（例えば、特許文献１参照）。
【０００３】
以下、従来のソケット装置の構造を図に基づいて説明する。図１２は従来のソケット装置及びＩＣデバイスの装着前の状態を示す斜視図である。
【０００４】
図において、平面視四辺形のＩＣソケット１１は合成樹脂製で、中央に方形の凹状をした収納部１２が設けられている。この収納部１２の内周部の四辺部には、導電性の金属板からなる複数の接触片１３が配列されている。この接触片１３は、ＩＣソケット１１に保持される基部と、この基部の先端側からＵ字状に折り返えされた内側片部とから形成されており、この内側片部が弾性変形可能に形成されている。
【０００５】
ＩＣデバイス２２は、同じく平面視四辺形の樹脂モジュールからなり、このＩＣデバイス２２の外側部の四辺部分には、複数の平板状のＩＣリード２３が配列されている。
【０００６】
前記ＩＣソケット１１の収納部１２に、ＩＣデバイス２２を装着する場合には、前記ＩＣソケット１１の複数の接触片１３の内側片部に、ＩＣデバイス２２のＩＣリード２３を接触させた状態で、収納部１２の底面１４方向へ挿入することにより、ＩＣデバイス２２のＩＣリード２３と接触片１３とが接続されるものとなる。
この場合、ＩＣリード２３と接触片１３とは、接触片１３自身の持つばね性によって弾圧されている。
【０００７】
【特許文献１】
特開平２００１−２０３０５２号公報
【０００８】
【発明が解決しようとする課題】
しかしながら、ソケット装置に装着するＩＣモジュールには、上部が下部に対して張り出しているものがあり、下部の側面に外部接触片（ＩＣリード）が形成されているものがある。このＩＣモジュールを従来のソケット装置に装着する場合には、ＩＣモジュールの上部が、端子部材（接触片）に接触し易くなり、下部の外部接触片との接触が不安定となるという問題があった。また、端子部材の内側片部の長さ寸法でソケット部材の高さ寸法が規定されるため、薄型化が難しいという問題があった。
【０００９】
従って、本発明では上述した問題点を解決し、上部が下部に対して張り出しているＩＣモジュールの装着を可能とし、端子部材の内側片部の長さを充分に確保して薄型化が図れるソケット装置を提供することを目的とする。
【００１０】
【課題を解決するための手段】
上記課題を解決するために本発明では第１の解決手段として、電気部品が装着される凹状の収納部を有するハウジングと、前記収納部の周縁部に並設され、前記電気部品の外側面に並設された複数の外部接触片と接続される複数の端子部材とを備え、前記外部接触片は、少なくとも前記電気部品の側面と底面とが連接する角部に設けられており、前記端子部材は、前記ハウジングに保持され前記収納部の内壁部に沿って延びる平板状の基部と、この基部の一端側に前記基部と平行に折り曲げられて形成された接点板と、この接点板の先端側で前記収納部の内方へ屈曲された屈曲片とを有し、この屈曲片を前記電気部品の角部に設けられた外部接触片と接触可能とした構成とした。
また、第２の解決手段として、前記ハウジングには、前記電気部品を前記収納部に保持して抜け止めする抜け止め部材を備え、前記電気部品は、前記端子部材の屈曲片と前記抜け止め部材とによって挟持される構成とした。
【００１１】
また、第３の解決手段として、前記屈曲片には、前記収納部の内方へ延出する傾斜面が形成されており、前記電気部品は、前記屈曲片の傾斜面により前記抜け止め部材側へ付勢されている構成とした。
また、第４の解決手段として、前記抜け止め部材は、前記ハウジングの外側面に沿って配設された薄板状の基板部と、この基板部に弾性変形可能に設けられた弾性アーム部とからなり、前記弾性アーム部を、前記基板部の横方向に長尺状に延設すると共に、前記弾性アーム部の先端側に前記電気部品の上方に係合して抜け止めする係合部を形成したことを特徴とする
【００１２】
【発明の実施の形態】
以下、本発明の実施形態を図１乃至図１１に示す。図１は本発明のソケット装置の平面図、図２はソケット装置の端子部材の一部を破断して示す正面図、図３はソケット装置の抜け止め部材の一部を破断して示す側面図、図４はＩＣモジュールを装着した状態を示す平面図、図５はＩＣモジュールを装着した状態で端子部材の一部を破断して示す正面図、図６はＩＣモジュールを装着した状態で抜け止め部材の一部を破断して示す側面図、図７は抜け止め部材が撓んだ状態を示す側面図、図８は抜け止め部材を示す斜視図、図９はＩＣモジュールを示す平面図、図１０はＩＣモジュールを示す正面図、図１１は端子部材を示す斜視図である。
尚、図４においては、一部、抜け止め部材が撓んだ状態も便宜的に示している。
【００１３】
図において、ハウジング１は、合成樹脂などの絶縁材からなり、上面が開口された凹状の収納部１ａを有する方形の箱型に形成されている。この凹状の収納部１ａの４辺周縁部には、複数の端子部材２がそれぞれ対向した状態で並設されて取り付けられている。
【００１４】
前記端子部材２は、導電性の金属板からなり、ハウジング１に保持される平板状の基部２ｅと、この基部２ｅの一端側にＵ字状に屈曲されて基部２ｅと平行に折り曲げられて形成された接点板２ａと、他端側に同じくＬ字状に屈曲されてその先端がハウジング１の底面外方へ延出された接続板２ｂとを有している。また、前記接点板２ａの先端側はさらに収納部１ａの内方へ屈曲されており、この屈曲片２ｃが後述するＩＣモジュール４の外部接触片４ｃと接触して導通されるものとなっている。
また、前記屈曲片２ｃには、前記接点板２ａの先端側から、前記収納部の内方へと延出する斜面からなる傾斜面２ｄが設けられている。また、前記端子部材２の基部２ｅのＵ字状の屈曲部の上端が、前記ハウジング１の上面と略同じ高さになるように形成されている。
【００１５】
抜け止め部材３は、薄板状の導電性の金属板からなり、この抜け止め部材３には４枚連続して折り曲げることにより方形状に形成された基板部３ａが設けられている。この抜け止め部材３は、それぞれの基板部３ａが方形状のハウジング１の外方を囲むように、ハウジング１の４辺の外側面に沿って配設されている。
また、基板部３ａの上面側には、それぞれの基板部３ａを連結する桟部３ｂが形成されており、この桟部３ｂが、ハウジング１の収納部１ａの外側部上面に係合されて抜け止め部材３がハウジング１に取り付けられるものとなっている。
【００１６】
また、少なくとも対向する２つの基板部３ａの上面側には、Ｌ字状のスリット３ｃを介して弾性変形可能なように、横方向（後述するＩＣモジュール４の挿入方向とは直交する方向）に長尺状に延設された弾性アーム部３ｄが形成されている。この弾性アーム部３ｄは、基板部３ａの長手方向となる横方向に沿って長尺状となるように形成されており、ハウジング１の凹状の収納部１ａの形成方向（ＩＣモジュール４の挿入方向）に対して直交する方向に弾性変形し易く形成されている。尚、この弾性アーム部３ｄは、４つの基板部３ａの全てに形成するようにしてもよい、
【００１７】
このように、弾性アーム部３ｄを、ハウジング１の対向する４辺の外側面の内、少なくとも対向する２面にそれぞれ配設するようにすれば、互いに対向する方向に弾性アームの弾性力が作用するので、後述するＩＣモジュール４を抜け止め部材３に確実に保持することができる。
また、抜け止め部材３を、導電性の金属板で形成し、金属板を折り曲げることにより、ハウジング１の外側面に沿って配設するようにしたので、薄板状に形成しても弾性力が確実に得られると共に、加工が容易で安価対応が可能となっている。
【００１８】
また、この弾性アーム部３ｄの自由端側でハウジング１の上面側には、収納部１ａに挿入されるＩＣモジュール４の上方に係合して抜け止めする係合部３ｅが形成されている。この係合部３ｅは、弾性アーム部３ｄから折り曲げられて収納部１ａの底面側へ屈曲されて形成されており、この係合部３ｅは収納部１ａの底面中央に向かって傾斜する傾斜面３ｆを有するように形成されている。この傾斜面３ｆを設けることによりＩＣモジュール４が挿入された際、弾性アーム部３ｄが傾斜面３ｆに沿ってハウジング１の外方へ弾性変形されて撓むものとなる。
傾斜面３ｆを設けることにより、簡単な構成で弾性アーム部３ｄを弾性変形させることができるので、ＩＣモジュール４と抜け止め部材３との確実な係合力が得られるものとなる。
【００１９】
また、抜け止め部材３の基板部３ａの下面側には、下方へ突出した接地片３ｇが設けられており、この接地片３ｇが、ソケット装置が実装される回路基板のグランドに接地されるものとなっている。
この場合、ハウジング１に並設された複数の端子部材２は、凹状の収納部１ａの周縁部に並設されており、抜け止め部材３の基板部３ａは、端子部材２の近傍に配設されて、端子部材２を外方から取り囲むようにハウジング１の外周面に沿って配設されるものとなっていることから、抜け止め部材３がシールド板として働くので、端子部材２に対するシールド効果を高めることができるものとなっている。
【００２０】
電気部品の一例としてのカメラモジュールであるＩＣモジュール４は、内部に半導体（ＩＣ）などの素子が集積された回路部品であり、方形状の基台部４ａと、この基台部４ａの上面側に突出された円形状のレンズ部４ｂとを有している。また、基台部４ａには、４つの側面の下端側から底面に連続した複数の外部接触片４ｃが設けられており、この外部接触片４ｃがハウジング１の収納部１ａの複数の端子部材２と接続されるものとなっている。
【００２１】
尚、この外部接触片４ｃは、図５に示すように、基台部４ａの側面の下端側に設けられた凹溝部４ｅの内側に形成されており、このため、外部接触片４ｃが設けられた下端側の面が、基台部４ａの側面の上端側の面よりも凹んだ状態となっている。言いかえれば、上面部が下面部に対して張り出した状態となっている。
【００２２】
また、基台部４ａの、対角線上に対向する上面側の２角部には係止溝部４ｄが設けられている。この係止溝部４ｄに、抜け止め部材３の弾性アーム部３ｄに形成された係合部３ｅが係合されて、ＩＣモジュール４がハウジング１の収納部１ａに保持されるものとなっている。
尚、レンズ部４ｂは、携帯電話機やデジタルカメラなどの撮影機能として用いられる場合のカメラレンズとして使用されるものである。
【００２３】
次に、上記構成のソケット装置にＩＣモジュール４を装着する場合の動作を図４ないし図７を用いて説明する。
まず、ハウジング１の収納部１ａの上方から、ＩＣモジュール４を基台部４ａの底面側を下にして挿入する。この時、ＩＣモジュール４の基台部４ａの底面及び側面が、抜け止め部材３の弾性アーム部３ｄの自由端側に形成された係合部３ｅの傾斜面３ｆに沿って下方へ移動し、この移動に伴って、図４、図７に部分的に示すように弾性アーム部３ｄが自身の持つばね性により外方へ弾性変形して撓むものとなる。
この時、弾性アーム部３ｄは、抜け止め部材３の基板部３ａの横方向に沿って長尺状に形成されているので、十分な弾性を有して撓むものとなる。
【００２４】
そして、ＩＣモジュール４の上面側に形成された係止溝部４ｄに、前記係合部３ｅの先端部が達すると、図４、図６に部分的に示すように前記係合部３ｅが係止溝部４ｄに落ち込むことにより係合されるものとなる。
この時、前記係合部３ｅは、弾性アーム部３ｄ自身の持つばね性によって内方、すなわち、ＩＣモジュール４の係止溝部４ｄ側に付勢されるものとなり、ばね性を持って弾圧され、ＩＣモジュール４は確実にハウジング１の収納部１ａに保持されるものとなる。
【００２５】
このように、弾性アーム部３ｄを、基板部３ａの横方向に長尺状に延設すると共に、弾性アーム部３ｄの先端側にＩＣモジュール４の上方に係合して抜け止めする係合部３ｅを形成するようにしたので、弾性アーム部３ｄの長さを十分に確保し、係合部３ｅの弾性力を維持しながら寸法を小さくすることができるため、ソケット装置の小型化、薄型化が図れるものとなっている。
【００２６】
そして、ＩＣモジュール４が収納部１ａに保持されると、図５に示すように、ＩＣモジュール４の基台部４ａに設けられた複数の外部接触片４ｃが、収納部１ａの周縁部に配設された、複数の端子部材２の接点板２ａの先端に設けられた屈曲片２ｃと接触することにより、電気的に導通されるものとなる。
この時、端子部材２の接点板２ａは、Ｕ字状に折り曲げられて形成されており、自身の持つばね性で屈曲片２ｃを外部接触片４ｃに弾接するものとなり、確実に接触し、安定した接触が得られるものとなっている。
【００２７】
また、この時、  前記屈曲片２ｃには、収納部１ａの内方へ延出する傾斜面２ｄが形成されており、この傾斜面２ｄを設けることにより、ＩＣモジュール４は、屈曲片２ｃの傾斜面２ｄにより、上方向、すなわち弾性アーム部３ｄの係合部３ｅ側へ付勢されていることから、ＩＣモジュール４には、上方向の弾発力が作用するので、ハウジング１の収納部１ａに上下方向のガタが発生することなく確実に保持されるものとなる。
また、ＩＣモジュール４の基台部４ａに設けられた複数の外部接触片４ｃは、側面より凹んだ凹溝部４ｅ内に形成されているが、端子部材２の接点板２ａの先端に設けられた屈曲片２ｃの先端が、凹溝部４ｅ内に挿入されることとなり、屈曲片２ｃの傾斜面２ｄと外部接触片４ｃは確実に接触するようになっている。
【００２８】
上記した本発明の実施例によれば、前記外部接触片４ｃは、ＩＣモジュール４の下部側面の底面と連接する角部に設けられており、前記端子部材２は、ハウジング１に保持され収納部１ａの内壁部に沿って延びる平板状の基部２ｅと、この基部２ｅの一端側にＵ字状に屈曲されて基部２ｅと平行に折り曲げられて形成された接点板２ａと、この接点板２ａの先端側で収納部１ａの内方へ屈曲された屈曲片２ｃとを有しており、この屈曲片２ｃをＩＣモジュール４の角部に設けられた前記外部接触片４ｃと接触可能としたので、基部２ｅと平行に折り曲げられた接点板２ａを設けることにより、上部が下部より張り出したＩＣモジュール４を装着することが可能となり、また、接点板２ａの先端側に形成した屈曲片２ｃとＩＣ喪ジュール４の角部に設けられた外部接触片４ｃとを接触させることにより、薄型化が図れると共に、端子部材２の接点板２ａの長さを十分に確保することができるものとなっている。
【００２９】
尚、上記の実施例においては、抜け止め部材３の基板部３ａの下面側に、接地片３ｇを形成し、この接地片３ｇを、ソケット装置が実装される回路基板のグランドに接地するようにしており、これに加えて、ＩＣモジュール４の係止溝部４ｄにも接地用の接触片（図示せず）を形成し、この接地用の接触片と抜け止め部材３の弾性アーム部３ｄの係合部３ｅとを接続して、ＩＣモジュール４を直接ソケット装置が実装される回路基板のグランドに接地するようにしてもよい。
【００３０】
【発明の効果】
以上説明したように、本発明のソケット装置は、電気部品が装着される凹状の収納部を有するハウジングと、収納部の周縁部に並設され、電気部品の外側面に並設された複数の外部接触片と接続される複数の端子部材とを備え、外部接触片は、少なくとも電気部品の側面と底面とが連接する角部に設けられており、端子部材は、ハウジングに保持され収納部の内壁部に沿って延びる平板状の基部と、基部の一端側に基部と平行に折り曲げられて形成された接点板と、接点板の先端側で収納部の内方へ屈曲された屈曲片とを有し、屈曲片を電気部品の角部に設けられた外部接触片と接触可能としたことから、基部と平行に折り曲げられた接点板を設けることにより、上部が下部より張り出した電気部品を装着することが可能となり、また、接点板の先端側に形成した屈曲片と電気部品の角部に設けられた外部接触片とを接触させることにより、薄型化が図れると共に、端子部材の接点板の長さを十分に確保することができる。
【００３１】
また、ハウジングには、電気部品を収納部に保持して抜け止めする抜け止め部材を備え、電気部品は、端子部材の屈曲片と抜け止め部材とによって挟持されることから、ハウジングの収納部に確実に保持される。
また、屈曲片には、収納部の内方へ延出する傾斜面が形成されており、電気部品は、屈曲片の傾斜面により抜け止め部材側へ付勢されていることから、電気部品には、上方向の弾発力が作用するので、ハウジングの収納部に上下方向のガタが発生することなく確実に保持される。
【００３２】
また、抜け止め部材は、ハウジングの外側面に沿って配設された薄板状の基板部と、基板部に弾性変形可能に設けられた弾性アーム部とからなり、弾性アーム部を、基板部の横方向に長尺状に延設すると共に、弾性アーム部の先端側に電気部品の上方に係合して抜け止めする係合部を形成したことことから、弾性アーム部の長さを十分に確保し、係合部の弾性力を維持しながら寸法を小さくすることができるため、ソケット装置の小型化、薄型化が図れる。
【００３３】
【図面の簡単な説明】
【図１】本発明の一実施例であるソケット装置を示す平面図である。
【図２】本発明のソケット装置の端子部材の一部を破断して示す正面図である。
【図３】本発明のソケット装置の抜け止め部材の一部を破断して示す側面図である。
【図４】本発明のソケット装置にＩＣモジュールを装着した状態を示す平面図である。
【図５】本発明のソケット装置にＩＣモジュールを装着した状態で端子部材の一部を破断して示す正面図である。
【図６】本発明のソケット装置にＩＣモジュールを装着した状態で抜け止め部材の一部を破断して示す側面図である。
【図７】本発明のソケット装置の抜け止め部材が撓んだ状態を示す側面図である。
【図８】本発明のソケット装置の抜け止め部材を示す斜視図である。
【図９】本発明のＩＣモジュールを示す平面図である。
【図１０】本発明のＩＣモジュールを示す正面図である。
【図１１】本発明のソケット装置の端子部材を示す斜視図である。
【図１２】従来のソケット装置及びＩＣデバイスの装着前の状態を示す斜視図である。
【符号の説明】
１  ハウジング
１ａ  収納部
２  端子部材
２ａ  接点板
２ｂ  接続板
２ｃ  屈曲片
２ｄ  傾斜面
２ｅ  基部
３  抜け止め部材
３ａ  基板部
３ｂ  桟部
３ｃ  スリット
３ｄ  弾性アーム部
３ｅ  係合部
３ｆ  傾斜面
３ｇ  接地片
４  ＩＣモジュール
４ａ  基台部
４ｂ  レンズ部
４ｃ  外部接触片
４ｄ  係止溝部
４ｅ  凹溝部
【図１】
2005032568.tif 000003
【図２】
2005032568.tif 000004
【図３】
2005032568.tif 000005
【図４】
2005032568.tif 000006
【図５】
2005032568.tif 000007
【図６】
2005032568.tif 000008
【図７】
2005032568.tif 000009
【図８】
2005032568.tif 000010
【図９】
2005032568.tif 000011
【図１０】
2005032568.tif 000012
【図１１】
2005032568.tif 000013
【図１２】
2005032568.tif 000014